(57)【要約】【課題】  簡易な構成で、単相２線式の交流電圧を単相３線式の交流電圧に変換するトランスの過負荷状態を、不平衡時であっても検出できる過負荷検出装置、パワーコンディショナ、電力供給システムを提供する。【解決手段】  過負荷検出装置３０は、トランス１４の一次電流Ｉａを検出する一次電流検出器１１ｈと、トランス１４の二次電流Ｉｂを検出する二次電流検出器１５と、一次電流Ｉａの検出値および二次電流Ｉｂ検出値を用いて、トランス１４の二次電流Ｉｃを算出する演算部１１ｆと、二次電流Ｉｂの検出値および二次電流Ｉｃの算出値に基づいて、二次巻線１４２の出力が過負荷状態であるか否かを判定する過負荷判定部１１ｇとを備える。【選択図】図１
2015080376.tif 000002
【特許請求の範囲】
【請求項１】
単相２線式の交流電圧が入力される一次巻線、第１電圧線および第２電圧線および中性線に単相３線式の交流電圧を出力する二次巻線を具備するトランスの過負荷状態を検出する過負荷検出装置であって、
前記一次巻線を流れる電流を検出する一次電流検出器と、
前記第１電圧線を流れる電流を検出する二次電流検出器と、
前記一次巻線を流れる電流の検出値、および前記第１電圧線を流れる電流の検出値を用いて、前記第２電圧線を流れる電流を算出する演算部と、
前記第１電圧線を流れる電流の検出値、および前記第２電圧線を流れる電流の算出値に基づいて、前記二次巻線の出力が過負荷状態であるか否かを判定する過負荷判定部と
を備えることを特徴とする過負荷検出装置。
【請求項２】
直流電源の出力を単相２線式の交流電圧に変換する電力変換器と、
前記単相２線式の交流電圧が入力される一次巻線、第１電圧線および第２電圧線および中性線に単相３線式の交流電圧を出力する二次巻線を具備するトランスに接続されて、前記一次巻線に前記単相２線式の交流電圧を出力する出力部と、
前記一次巻線を流れる電流の検出値、および前記第１電圧線を流れる電流の検出値を用いて、前記第２電圧線を流れる電流を算出する演算部と、
前記第１電圧線を流れる電流の検出値、および前記第２電圧線を流れる電流の算出値に基づいて、前記二次巻線の出力が過負荷状態であるか否かを判定する過負荷判定部と
を備え、
前記電力変換器は、前記過負荷判定部が前記過負荷状態であると判定した場合、前記単相２線式の交流電圧の出力を停止する
ことを特徴とするパワーコンディショナ。
【請求項３】
系統連系運転時に直流電源の出力から生成した単相２線式の交流電圧を商用電源が接続された主電路へ供給する第１出力部、自立運転時に前記直流電源の出力から生成した単相２線式の交流電圧を出力する第２出力部を具備するパワーコンディショナと、
前記第２出力部が出力する前記単相２線式の交流電圧が入力される一次巻線、第１電圧線および第２電圧線および中性線に単相３線式の交流電圧を出力する二次巻線を具備するトランスと、
前記一次巻線を流れる電流を検出する一次電流検出器と、
前記第１電圧線を流れる電流を検出する二次電流検出器と、
前記一次巻線を流れる電流の検出値、および前記第１電圧線を流れる電流の検出値を用いて、前記第２電圧線を流れる電流を算出する演算部と、
前記第１電圧線を流れる電流の検出値、および前記第２電圧線を流れる電流の算出値に基づいて、前記二次巻線の出力が過負荷状態であるか否かを判定する過負荷判定部とを備え、
前記パワーコンディショナは、前記過負荷判定部が前記過負荷状態であると判定した場合、前記第２出力部から前記単相２線式の交流電圧の出力を停止させる
ことを特徴とする電力供給システム。
【発明の詳細な説明】
【技術分野】
【０００１】
本発明は、単相２線式の交流電圧を単相３線式の交流電圧に変換するトランスの過負荷状態を検出する過負荷検出装置、パワーコンディショナ、電力供給システムに関するものである。
【背景技術】
【０００２】
従来、太陽電池等の分散電源を商用電力系統に系統連系させる（系統）連系運転と、分散電源を商用電力系統から系統分離する自立運転とを切替可能に構成されたパワーコンディショナがある。そして、このパワーコンディショナは、商用電源からの電力供給が停止する停電時に、分散電源の発電電力を用いた自立運転を行うことによって、機器への電力供給を行う（例えば、特許文献１参照）。
【先行技術文献】
【特許文献】
【０００３】
【特許文献１】特開２０１０−２５９１７０号公報
【発明の概要】
【発明が解決しようとする課題】
【０００４】
従来、パワーコンディショナの自立出力は単相２線式２００Ｖであるが、単相２線式２００Ｖを、トランスによって単相３線式１００Ｖ／２００Ｖに変換することができる。そして、単相２線式２００Ｖが単相３線式１００Ｖ／２００Ｖに変換されることにより、自立出力を用いて１００Ｖ負荷の使用が可能となる。
【０００５】
そして、単相２線式の交流電圧を単相３線式の交流電圧に変換するトランスを用いた場合、このトランスの出力が予め決められた最大定格を上回る過負荷状態を検出する過負荷検出装置を設ける必要がある。この過負荷検出装置は、トランスの一次側の電流が最大定格を上回ると、過負荷状態であると判断して、パワーコンディショナは自立出力を停止する。
【０００６】
しかし、単相３線式の場合、１００Ｖの相が２系統あり、一方の相における１００Ｖ負荷の消費電力が他方の相における１００Ｖ負荷の消費電力より大きくなる不平衡が発生する場合がある。一方の相にのみ過電流が流れる不平衡が発生すると、トランスの一次側の電流に基づく従来の過負荷検出装置は過負荷状態を検出できない場合があり、過電流により歪んだ電圧によって、１００Ｖ負荷の動作不良等の不具合が発生する可能性がある。
【０００７】
本発明は、上記事由に鑑みてなされたものであり、その目的は、簡易な構成で、単相２線式の交流電圧を単相３線式の交流電圧に変換するトランスの過負荷状態を、不平衡時であっても検出できる過負荷検出装置、パワーコンディショナ、電力供給システムを提供することにある。
【課題を解決するための手段】
【０００８】
本発明の過負荷検出装置は、単相２線式の交流電圧が入力される一次巻線、第１電圧線および第２電圧線および中性線に単相３線式の交流電圧を出力する二次巻線を具備するトランスの過負荷状態を検出する過負荷検出装置であって、前記一次巻線を流れる電流を検出する一次電流検出器と、前記第１電圧線を流れる電流を検出する二次電流検出器と、前記一次巻線を流れる電流の検出値、および前記第１電圧線を流れる電流の検出値を用いて、前記第２電圧線を流れる電流を算出する演算部と、前記第１電圧線を流れる電流の検出値、および前記第２電圧線を流れる電流の算出値に基づいて、前記二次巻線の出力が過負荷状態であるか否かを判定する過負荷判定部とを備えることを特徴とする。
【０００９】
本発明のパワーコンディショナは、直流電源の出力を単相２線式の交流電圧に変換する電力変換器と、前記単相２線式の交流電圧が入力される一次巻線、第１電圧線および第２電圧線および中性線に単相３線式の交流電圧を出力する二次巻線を具備するトランスに接続されて、前記一次巻線に前記単相２線式の交流電圧を出力する出力部と、前記一次巻線を流れる電流の検出値、および前記第１電圧線を流れる電流の検出値を用いて、前記第２電圧線を流れる電流を算出する演算部と、前記第１電圧線を流れる電流の検出値、および前記第２電圧線を流れる電流の算出値に基づいて、前記二次巻線の出力が過負荷状態であるか否かを判定する過負荷判定部とを備え、前記電力変換器は、前記過負荷判定部が前記過負荷状態であると判定した場合、前記単相２線式の交流電圧の出力を停止することを特徴とする。
【００１０】
本発明の電力供給システムは、系統連系運転時に直流電源の出力から生成した単相２線式の交流電圧を商用電源が接続された主電路へ供給する第１出力部、自立運転時に前記直流電源の出力から生成した単相２線式の交流電圧を出力する第２出力部を具備するパワーコンディショナと、前記第２出力部が出力する前記単相２線式の交流電圧が入力される一次巻線、第１電圧線および第２電圧線および中性線に単相３線式の交流電圧を出力する二次巻線を具備するトランスと、前記一次巻線を流れる電流を検出する一次電流検出器と、前記第１電圧線を流れる電流を検出する二次電流検出器と、前記一次巻線を流れる電流の検出値、および前記第１電圧線を流れる電流の検出値を用いて、前記第２電圧線を流れる電流を算出する演算部と、前記第１電圧線を流れる電流の検出値、および前記第２電圧線を流れる電流の算出値に基づいて、前記二次巻線の出力が過負荷状態であるか否かを判定する過負荷判定部とを備え、前記パワーコンディショナは、前記過負荷判定部が前記過負荷状態であると判定した場合、前記第２出力部から前記単相２線式の交流電圧の出力を停止させることを特徴とする。
【発明の効果】
【００１１】
以上説明したように、本発明の過負荷検出装置、パワーコンディショナ、電力供給システムは、トランスの二次側に接続された第１電圧線、第２電圧線のうち、第１電圧線を流れる電流のみを検出することによって、第１電圧線、第２電圧線に流れている各電流を把握できる。すなわち、本発明では、トランスの二次側において、第１電圧線、第２電圧線の両方の電流を検出する必要がない。したがって、本発明では、簡易な構成で、単相２線式の交流電圧を単相３線式の交流電圧に変換するトランスの過負荷状態を、不平衡時であっても検出できるという効果がある。
【図面の簡単な説明】
【００１２】
【図１】実施形態の電力供給システムの構成を示すブロック図である。
【図２】同上のトランスの過負荷状態を検出する動作を示す概念図である。
【発明を実施するための形態】
【００１３】
以下、本発明の実施の形態を図面に基づいて説明する。
【００１４】
（実施形態）
本実施形態の電力供給システムは、図１に示す構成を備えており、電力会社から商用電力を供給されている集合住宅の各住戸、戸建て住宅、工場、事務所等の各需要家において用いられる。本システムは、パワーコンディショナ１１、太陽電池１２（直流電源）、蓄電池１３（直流電源）、トランス１４、二次電流検出器１５を主構成として備える。
【００１５】
パワーコンディショナ１１は、コンバータ１１ａ、双方向電力変換回路１１ｂ、充放電回路１１ｃ、連系入出力部１１ｄ、自立出力部１１ｅ、演算部１１ｆ、過負荷判定部１１ｇ、一次電流検出器１１ｈ、コントローラ１１ｉを備える。コントローラ１１ｉは、パワーコンディショナ１１の各部の動作を制御する。
【００１６】
太陽電池１２の直流出力は、コンバータ１１ａに入力される。コンバータ１１ａは、太陽電池１２の直流出力を所定の直流電圧に変換する。双方向電力変換回路１１ｂは、コンバータ１１ａが出力する直流電圧を単相２線式の交流電圧２００Ｖに変換して出力する。双方向電力変換回路１１ｂが出力する交流電圧は、連系入出力部１１ｄ（第１出力部）または自立出力部１１ｅ（第２出力部）から出力される。
【００１７】
蓄電池１３は、例えばリチウムイオン電池等の二次電池で構成されており、充放電回路１１ｃに接続している。充放電回路１１ｃは、蓄電池１３の充放電制御を行う。
【００１８】
充放電回路１１ｃは、蓄電池１３の放電電力を所定の直流電圧に変換する。双方向電力変換回路１１ｂは、充放電回路１１ｃが出力する直流電圧を単相２線式の交流電圧２００Ｖに変換して出力する。双方向電力変換回路１１ｂが出力する交流電圧は、連系入出力部１１ｄまたは自立出力部１１ｅから出力される。
【００１９】
連系入出力部１１ｄは、接点（図示なし）を具備しており、この接点はコントローラ１１ｉによって開閉制御される。連系入出力部１１ｄは、接点開時に、双方向電力変換回路１１ｂが出力する交流電圧を出力し、接点閉時に、双方向電力変換回路１１ｂが出力する交流電圧を遮断する。連系入出力部１１ｄから出力される交流電圧は、需要家内の主電路である交流電路１０１に印加される。交流電路１０１は商用電源（図示なし）に接続しており、連系入出力部１１ｄから出力される交流電力のうち、交流電路１０１の負荷（図示なし）で消費されなかった余剰分は、商用電源へ逆潮流（売電）する。なお、双方向電力変換回路１１ｂは、連系入出力部１１ｄから出力する交流電力を、商用電源が供給する商用電力に協調させる系統連系運転機能を有する。
【００２０】
自立出力部１１ｅは、接点（図示なし）を具備しており、この接点はコントローラ１１ｉによって開閉制御される。自立出力部１１ｅは、接点開時に、双方向電力変換回路１１ｂが出力する交流電圧を出力し、接点閉時に、双方向電力変換回路１１ｂが出力する交流電圧を遮断する。自立出力部１１ｅから出力される単相２線式の交流電圧２００Ｖは、トランス１４に入力されて、単相３線式の交流電圧１００Ｖ／２００Ｖに変換される。
【００２１】
トランス１４は、一次巻線１４１、二次巻線１４２を備える。一次巻線１４１は、自立出力部１１ｅから出力される単相２線式の交流電圧が印加される。二次巻線１４２は、第１電圧線Ｌ１、第２電圧線Ｌ２、中性線Ｎ１からなる交流電路１０２に接続して、単相３線式の交流電圧を出力する。すなわち、第１電圧線Ｌ１−第２電圧線Ｌ２間には２００Ｖの交流電圧が発生し、第１電圧線Ｌ１−中性線Ｎ１間には１００Ｖの交流電圧が発生し、第２電圧線Ｌ２−中性線Ｎ１間には１００Ｖの交流電圧が発生する。そして、第１電圧線Ｌ１−中性線Ｎ１間には、負荷２１（１００Ｖ負荷）が接続されており、第２電圧線Ｌ２−中性線Ｎ１間には、負荷２２（１００Ｖ負荷）が接続されている。交流電路１０２は、商用電源の停電時に、自立出力部１１ｅから電力供給を可能にした系統であり、負荷２１，２２は、停電時にも動作させたい照明器具、空調機器、情報機器等である。なお、負荷２１，２２は、それぞれ単数、複数のいずれでもよい。
【００２２】
また、双方向電力変換回路１１ｂは、連系入出力部１１ｄを介して交流電路１０１から供給される商用電力を所定の直流電圧に変換して出力する。そして、充放電回路１１ｃは、コンバータ１１ａが出力する直流電力、双方向電力変換回路１１ｂが出力する直流電力を用いて、蓄電池１３を充電する。
【００２３】
コントローラ１１ｉは、コンバータ１１ａ、双方向電力変換回路１１ｂ、充放電回路１１ｃの各電力変換動作、連系入出力部１１ｄおよび自立出力部１１ｅの各接点を開閉制御することによって、パワーコンディショナ１１の動作を制御する。
【００２４】
すなわち、コントローラ１１ｉは、商用電源から商用電力を供給される通常時、太陽電池１２の発電電力、蓄電池１３の放電電力を用いて、連系入出力部１１ｄから交流電路１０１に交流電力を供給する系統連系運転を行う。さらに、コントローラ１１ｉは、通常時、連系入出力部１１ｄから入力される商用電力、太陽電池１２の発電電力を用いて、蓄電池１３を充電する。
【００２５】
また、コントローラ１１ｉは、商用電源から商用電力を供給されない停電時、太陽電池１２の発電電力、蓄電池１３の放電電力を用いて、自立出力部１１ｅからトランス１４を介して交流電路１０２へ交流電力を供給する自立運転を行う。
【００２６】
コントローラ１１ｉは、パワーコンディショナ１１の各部を制御することによって、系統連系運転、蓄電池１３の充電動作、自立運転を適宜切り替える。なお、コントローラ１１ｉによる系統連系運転、蓄電池１３の充電動作、自立運転の切り替えは周知の技術であり、詳細な説明は省略する。
【００２７】
上述のシステムでは、交流電路１０２の負荷２１，２２は、単相３線の互いに異なる１００Ｖの相に接続されている。すなわち、交流電路１０２は１００Ｖの相を２つ（第１電圧線Ｌ１−中性線Ｎ１、第２電圧線Ｌ２−中性線Ｎ１）有しており、自立運転時において、一方の相における１００Ｖ負荷の消費電力が他方の相における１００Ｖ負荷の消費電力より大きくなる不平衡が発生する場合がある。この不平衡が発生すると、一方の相にのみ過電流が流れ、この過電流により歪んだ電圧によって、負荷２１，２２の動作不良等の不具合が発生する可能性がある。
【００２８】
そこで、本実施形態では、演算部１１ｆ、過負荷判定部１１ｇ、一次電流検出器１１ｈ、二次電流検出器１５で、過負荷検出装置３０を構成している。過負荷検出装置３０は、トランス１４の二次巻線１４２の出力が過負荷となる過負荷状態を、不平衡時においても検出する。そして、過負荷検出装置３０が過負荷状態を検出した場合、双方向電力変換回路１１ｂは、単相２線式の交流電圧２００Ｖの出力を停止し、連系入出力部１１ｄおよび自立出力部１１ｅは、交流出力を遮断する。
【００２９】
なお、本実施形態において、コンバータ１１ａ、双方向電力変換回路１１ｂ、充放電回路１１ｃが、電力変換器１１ｊを構成している。電力変換器１１ｊは、太陽電池１２、蓄電池１３の各出力を単相２線式の交流電圧に変換する。この電力変換器１１ｊは、過負荷検出装置３０が過負荷状態を検出した場合、少なくとも双方向電力変換回路１１ｂが動作を停止することによって、単相２線式の交流電圧２００Ｖの出力を停止する。
【００３０】
以下、パワーコンディショナ１１の自立運転時に過負荷検出装置３０が行う過負荷状態の検出処理について説明する。
【００３１】
まず、一次電流検出器１１ｈは、双方向電力変換回路１１ｂの交流出力経路に設けられており、トランス１４の一次巻線１４１を流れる電流Ｉａ（一次電流Ｉａ）を検出し、一次電流Ｉａの検出値（瞬時値）を演算部１１ｆに出力する。
【００３２】
また、二次電流検出器１５は、第１電圧線Ｌ１に設けられており、トランス１４の二次巻線１４２から第１電圧線Ｌ１を流れる電流Ｉｂ（二次電流Ｉｂ）を検出し、二次電流Ｉｂの検出値（瞬時値）を演算部１１ｆに出力する。
【００３３】
演算部１１ｆは、下記［数１］の演算を行って、一次電流Ｉａの検出値、および二次電流Ｉｂの検出値から、第２電圧線Ｌ２を流れる電流Ｉｃ（二次電流Ｉｃ）を算出する。
【００３４】
【数１】
2015080376.tif 000003
【００３５】
演算部１１ｆは、二次電流Ｉｂの検出値をサンプリングし、サンプリング結果を一次電流Ｉｂｎとする（ｎ＝０，１，２，３，．．．）。そして、演算部１１ｆは、下記［数２］の演算を行って、二次電流Ｉｂの二乗値Ｉｂ２を、二次電流Ｉｂｎの二乗値を交流電圧の１周期に亘って積算することによって求める。
【００３６】
【数２】
2015080376.tif 000004
【００３７】
また、演算部１１ｆは、二次電流Ｉｃの算出値をサンプリングし、サンプリング結果を二次電流Ｉｃｎとする（ｎ＝０，１，２，３，．．．）。そして、演算部１１ｆは、下記［数３］の演算を行って、二次電流Ｉｃの二乗値Ｉｃ２を、二次電流Ｉｃｎの二乗値を交流電圧の１周期に亘って積算することによって求める。
【００３８】
【数３】
2015080376.tif 000005
【００３９】
次に、演算部１１ｆは、下記［数４］の演算を行って、二次電流Ｉｂの二乗平均値Ｉｂｂ２を求める。
【００４０】
【数４】
2015080376.tif 000006
【００４１】
また、演算部１１ｆは、下記［数５］の演算を行って、二次電流Ｉｃの二乗平均値Ｉｃｃ２を求める。
【００４２】
【数５】
2015080376.tif 000007
【００４３】
次に、演算部１１ｆは、下記［数６］の演算を行って、二次電流Ｉｂの実効値Ｉｒｂを求める。
【００４４】
【数６】
2015080376.tif 000008
【００４５】
また、演算部１１ｆは、下記［数７］の演算を行って、二次電流Ｉｃの実効値Ｉｒｃを求める。
【００４６】
【数７】
2015080376.tif 000009
【００４７】
過負荷判定部１１ｇは、演算部１１ｆから実効値Ｉｒｂ，Ｉｒｃの各値を取得し、実効値Ｉｒｂを閾値Ｋ１と比較し、実効値Ｉｒｃを閾値Ｋ２と比較してもよい。この場合、過負荷判定部１１ｇは、実効値Ｉｒｂが閾値Ｋ１以上である場合、二次電流Ｉｂが過電流となっており、二次巻線１４２の出力が過負荷状態であると判定する。また、過負荷判定部１１ｇは、実効値Ｉｒｃが閾値Ｋ２以上である場合、二次電流Ｉｃが過電流となっており、二次巻線１４２の出力が過負荷状態であると判定する。なお、閾値Ｋ１，Ｋ２は、互いに同値、互いに異なる値のいずれでもよい。
【００４８】
さらに、演算部１１ｆは、一次電流Ｉａの検出値から一次電流Ｉａの実効値Ｉｒａを算出する（算出方法は、上述の実効値Ｉｒｂ，Ｉｒｃの算出方法と同様である）。そして、過負荷判定部１１ｇは、演算部１１ｆから実効値Ｉｒａの値を取得し、実効値Ｉｒａを閾値Ｋ３と比較する。過負荷判定部１１ｇは、実効値Ｉｒａが閾値Ｋ３以上である場合、一次巻線１４１の入力（双方向電力変換回路１１ｂの交流出力）が過負荷状態であると判定する。
【００４９】
また、過負荷判定部１１ｇは、演算部１１ｆから実効値Ｉｒｂ，Ｉｒｃの各値を取得し、実効値Ｉｒｂ，Ｉｒｃの和［Ｉｒｂ＋Ｉｒｃ］を閾値Ｋ３と比較してもよい。この場合、過負荷判定部１１ｇは、実効値Ｉｒｂ，Ｉｒｃの和［Ｉｒｂ＋Ｉｒｃ］が閾値Ｋ３以上である場合、一次巻線１４１の入力（双方向電力変換回路１１ｂの交流出力）が過負荷状態であると判定する。
【００５０】
コントローラ１１ｉは、過負荷判定部１１ｇによって二次巻線１４２の出力が過負荷状態であると判定された場合、双方向電力変換回路１１ｂによる単相２線式の交流電圧の出力を停止し、自立出力部１１ｅからの交流出力を遮断する。
【００５１】
また、コントローラ１１ｉは、過負荷判定部１１ｇによって一次巻線１４１の入力が過負荷状態であると判定された場合も、双方向電力変換回路１１ｂによる単相２線式の交流電圧の出力を停止し、自立出力部１１ｅからの交流出力を遮断する。
【００５２】
上述の過負荷検出装置３０は、トランス１４の二次側に接続された２つの１００Ｖの相のうち、いずれか１つの相にのみ二次電流検出器１５を設けることによって、２つの相に流れている各電流を把握できる。すなわち、過負荷検出装置３０は、トランス１４の二次側において、２つの１００Ｖの相の両方に二次電流検出器を設ける必要がない。したがって、過負荷検出装置３０は、簡易な構成で、単相２線式の交流電圧を単相３線式の交流電圧に変換するトランス１４の過負荷状態を、不平衡時であっても検出できる。
【００５３】
また、過負荷検出装置３０の機能を用いたパワーコンディショナ１１、過負荷検出装置３０を備える電力供給システムも、上記同様の効果を得ることができる。
【００５４】
なお、本実施形態では、トランス１４によって、単相２線式の交流電圧２００Ｖを単相３線式の交流電圧１００Ｖ／２００Ｖに変換する構成を例示している。しかし、トランス１４によって単相２線式の交流電圧を単相３線式の交流電圧に変換する構成であればよく、その具体的な電圧値は限定されない。
【００５５】
また、本実施形態では、直流電源として太陽電池１２、蓄電池１３を用いているが、燃料電池、風力発電装置等の他の直流電源を用いてもよい。
【００５６】
上述の過負荷検出装置３０は、単相２線式の交流電圧が入力される一次巻線１４１、第１電圧線Ｌ１および第２電圧線Ｌ２および中性線Ｎ１に単相３線式の交流電圧を出力する二次巻線１４２を具備するトランス１４の過負荷状態を検出する。この過負荷検出装置３０は、一次巻線１４１を流れる電流を検出する一次電流検出器１１ｈと、第１電圧線Ｌ１を流れる電流を検出する二次電流検出器１５と、一次巻線１４１を流れる電流の検出値、および第１電圧線Ｌ１を流れる電流の検出値を用いて、第２電圧線Ｌ２を流れる電流を算出する演算部１１ｆを備える。さらに、過負荷検出装置３０は、第１電圧線Ｌ１を流れる電流の検出値、および第２電圧線Ｌ２を流れる電流の算出値に基づいて、二次巻線１４２の出力が過負荷状態であるか否かを判定する過負荷判定部１１ｇを備える。
【００５７】
上述のパワーコンディショナ１１は、太陽電池１２および蓄電池１３（直流電源）の出力を単相２線式の交流電圧に変換する電力変換器１１ｊを備える。さらにパワーコンディショナ１１は、単相２線式の交流電圧が入力される一次巻線１４１、第１電圧線Ｌ１および第２電圧線Ｌ２および中性線Ｎ１に単相３線式の交流電圧を出力する二次巻線１４２を具備するトランス１４に接続されて、一次巻線１４１に単相２線式の交流電圧を出力する自立出力部１１ｅ（出力部）を備える。さらにパワーコンディショナ１１は、一次巻線１４１を流れる電流の検出値、および第１電圧線Ｌ１を流れる電流の検出値を用いて、第２電圧線Ｌ２を流れる電流を算出する演算部１１ｆを備える。さらにパワーコンディショナ１１は、第１電圧線Ｌ１を流れる電流の検出値、および第２電圧線Ｌ２を流れる電流の算出値に基づいて、二次巻線１４２の出力が過負荷状態であるか否かを判定する過負荷判定部１１ｇを備える。そして、電力変換器１１ｊは、過負荷判定部１１ｇが過負荷状態であると判定した場合、単相２線式の交流電圧の出力を停止する。
【００５８】
上述の電力供給システムは、系統連系運転時に太陽電池１２および蓄電池１３（直流電源）の出力から生成した単相２線式の交流電圧を商用電源が接続された交流電路１０１（主電路）へ供給する連系入出力部１１ｄ（第１出力部）、自立運転時に太陽電池１２および蓄電池１３の出力から生成した単相２線式の交流電圧を出力する自立出力部１１ｅ（第２出力部）を具備するパワーコンディショナ１１を備える。さらに電力供給システムは、自立出力部１１ｅが出力する単相２線式の交流電圧が入力される一次巻線１４１、第１電圧線Ｌ１および第２電圧線Ｌ２および中性線Ｎ１に単相３線式の交流電圧を出力する二次巻線を具備するトランス１４を備える。さらに電力供給システムは、一次巻線１４１を流れる電流を検出する一次電流検出器１１ｈと、第１電圧線Ｌ１を流れる電流を検出する二次電流検出器１５とを備える。さらに電力供給システムは、一次巻線１４１を流れる電流の検出値、および第１電圧線Ｌ１を流れる電流の検出値を用いて、第２電圧線Ｌ２を流れる電流を算出する演算部１１ｆを備える。さらに電力供給システムは、第１電圧線Ｌ１を流れる電流の検出値、および第２電圧線Ｌ２を流れる電流の算出値に基づいて、二次巻線１４２の出力が過負荷状態であるか否かを判定する過負荷判定部１１ｇを備える。そして、パワーコンディショナ１１は、過負荷判定部１１ｇが過負荷状態であると判定した場合、自立出力部１１ｅから単相２線式の交流電圧の出力を停止させる。
【符号の説明】
【００５９】
１１  パワーコンディショナ
１１ｆ  演算部
１１ｇ  過負荷判定部
１１ｈ  一次電流検出器
１１ｊ  電力変換器
１４  トランス
１４１  一次巻線
１４２  二次巻線
１５  二次電流検出器
３０  過負荷検出装置
Ｌ１  第１電圧線
Ｌ２  第２電圧線
Ｎ１  中性線
【図１】
2015080376.tif 000010
【図２】
2015080376.tif 000011